(57)【要約】【課題】プラント運用訓練の一環となるコミュニケーション訓練の実施に際し、その訓練の質的低下を伴うことなく、むしろ、その訓練の質的向上を図りつつ、指導員の負担を軽減させること。【解決手段】本発明では、プラント状態を仮想的に作り出すシミュレーションを実行して、プラント状態に応じて定められた連絡先を選択するとともにその連絡先と的確な対話を行うコミュニケーション訓練を可能とするプラント運用訓練システムにおいて、その連絡先を代役する指導員が連絡元の訓練員と交わす各種の対話をモデル対話として記憶しておき、コミュニケーション訓練の実施中に、シミュレーションによるプラント状態に応じて適切なモデル対話を特定して指導員に提示する訓練支援部４を備えるものとした。【選択図】  図１
2011081108.tif 000002
【特許請求の範囲】
【請求項１】
プラント状態を仮想的に作り出すシミュレーションを実行して、プラント状態に応じて定められた連絡先を選択するとともにその連絡先と的確な対話を行うコミュニケーション訓練を可能とするプラント運用訓練システムにおいて、
前記連絡先を代役する指導員が連絡元の訓練員と交わす各種の対話をモデル対話として記憶しておき、コミュニケーション訓練の実施中に、シミュレーションによるプラント状態に応じて適切なモデル対話を特定して指導員に提示する訓練支援部を備えることを特徴とするプラント運用訓練システム。
【請求項２】
請求項１に記載のプラント運用訓練システムにおいて、
前記訓練支援部は、プラント機器に関わるトラブルの発生と連鎖を事象ステップとして定め、この事象ステップに従うプラント状態のシミュレーションを可能とする訓練シナリオを記憶する訓練シナリオ記憶部と、
前記訓練シナリオの事象ステップごとに定められた連絡先を記憶する連絡先記憶部と、
前記モデル対話をそのインデックスとともに記憶するモデル対話記憶部と、
前記訓練シナリオの事象ステップと連絡先の組み合わせごとに、モデル対話のインデックスを関連付けて記憶するモデル対話分類部と、
前記シミュレーションによるプラント状態の進展に基づいて、シミュレータに訓練シナリオの次の事象ステップを与えるタイミングを判断するとともに、モデル対話分類部に記憶されているモデル対話のインデックスの中から、訓練シナリオの現在の事象ステップに関連付けられたモデル対話のインデックスを特定する訓練シナリオ実行部と、
前記訓練シナリオ実行部で特定されたモデル対話のインデックスを受け取り、受け取ったインデックスと同一のインデックスが付加されているモデル対話をモデル対話記憶部から抽出して指導員に提示するモデル対話提示部と、
を有することを特徴とするプラント運用訓練システム。
【請求項３】
請求項２に記載のプラント運用訓練システムにおいて、
前記訓練支援部は、訓練中に指導員と訓練員の間で交わされた対話の音声データを収集して文字データに変換する音声−文字変換部と、
前記シミュレーションによるプラント状態を継続的に取得して記憶するプラント状態記憶部と、
前記対話の文字データをその対話が行われたときのプラント状態や訓練シナリオの事象ステップと関連付けて記憶する訓練履歴記憶部と、
前記シミュレーションによるプラント状態や訓練シナリオの事象ステップを検索条件として受け取り、受け取った検索条件と合致する対話の文字データを訓練履歴記憶部から抽出し、抽出した文字データに基づく対話をユーザに提示するモデル対話作成支援部とを有することを特徴とするプラント運用訓練システム。
【請求項４】
請求項２に記載のプラント運用訓練システムにおいて、
前記訓練支援部は、プラントのシステムデータをそのインデックスとともに記憶するシステムデータ記憶部と、
前記訓練シナリオの事象ステップと連絡先の組み合わせごとに、システムデータのインデックスを関連付けて記憶するシステムデータ分類部と、
前記シミュレーションによるプラント状態の進展に基づいて、シミュレータに訓練シナリオの次の事象ステップを与えるタイミングを判断するとともに、システムデータ分類部に記憶されているモデル対話のインデックスの中から、訓練シナリオの現在の事象ステップに関連付けられたシステムデータのインデックスを特定する訓練シナリオ実行部と、
前記訓練シナリオ実行部で特定されたシステムデータのインデックスを受け取り、受け取ったインデックスと同一のインデックスが付加されているシステムデータをシステムデータ記憶部から抽出して指導員に提示するシステム画像提示部とを有することを特徴とするプラント運用訓練システム。
【請求項５】
請求項４に記載のプラント運用訓練システムにおいて、
前記訓練支援部は、シミュレーションによるプラント状態を継続的に取得して記憶するプラント状態記憶部と、
前記指導員に提示されたシステムデータをその提示が行われたときのプラント状態や訓練シナリオの事象ステップと関連付けて記憶する訓練履歴記憶部と、
前記シミュレーションによるプラント状態や訓練シナリオの事象ステップを検索条件として受け取り、受け取った検索条件と合致するシステムデータを訓練履歴記憶部から取り出してユーザに提示するシステムデータ作成支援部とを有することを特徴とするプラント運用訓練システム。
【請求項６】
請求項２に記載のプラント運用訓練システムにおいて、
前記訓練支援部は、プラント状態に応じて定められた連絡先の環境音をそのインデックスとともに記憶する環境音記憶部と、
前記訓練員が選択した連絡先を識別してインデックスを付加する通信データ取得部と、
前記通信データ取得部から連絡先のインデックスを受け取り、受け取ったインデックスと同一のインデックスが付加されている環境音を環境音記憶部から抽出して訓練員に聞かせる環境音再生部とを有することを特徴とするプラント運用訓練システム。
【請求項７】
請求項３に記載のプラント運用訓練システムにおいて、
前記訓練履歴記憶部に記憶されている対話の文字データの中から、ユーザが指定した対話の文字データを選択的に取り出して記憶する模範訓練記憶部と、
前記模範訓練記憶部に記憶されている対話の文字データと訓練履歴記憶部に記憶されている対話の文字データとの一致の程度を特定し、その一致の程度に基づいて訓練履歴記憶部に記憶されている対話に良否の判断指標を付加し、この良否の判断指標を付加した対話を評価済み対話とする訓練評価部と、
前記訓練評価部により生成された評価済み対話を記憶する訓練評価結果記憶部と、
前記訓練評価結果記憶部に記憶されている評価済み対話の中からユーザが指定した評価済み対話を抽出してユーザに提示する訓練評価結果提示部とを有することを特徴とするプラント運用訓練システム。
【請求項８】
請求項７に記載のプラント運用訓練システムにおいて、
前記訓練評価部は、対話の文字データに加えて、対話のタイミングとその対話につき訓練員が選択した連絡先を用い、対話の文字データ、タイミング及び連絡先の一致の程度に基づいて訓練履歴記憶部に記憶されている対話に良否の判断指標を付加することを特徴とするプラント運用訓練システム。
【請求項９】
請求項２に記載のプラント運用訓練システムにおいて、
前記モデル対話の対話音声をそのインデックスとともに記憶する対話音声記憶部と、
前記訓練シナリオの事象ステップと連絡先の組み合わせごとに、対話音声のインデックスを関連付けて記憶する対話音声分類部と、
前記シミュレーションによるプラント状態の進展に基づいて、シミュレータに訓練シナリオの次の事象ステップを与えるタイミングを判断するとともに、対話音声分類部に記憶されている対話音声のインデックスの中から、訓練シナリオの現在の事象ステップに関連付けられた対話音声のインデックスを特定する訓練シナリオ実行部と、
前記訓練シナリオ実行部で特定された対話音声のインデックスを受け取り、受け取ったインデックスと同一のインデックスが付加されている対話音声を対話音声記憶部から抽出し、訓練員が連絡先を選択して連絡を行ったことを条件に、抽出した対話音声を連絡元の訓練員に聞かせる対話音声再生部とを有することを特徴とするプラント運用訓練システム。
【請求項１０】
請求項９に記載のプラント運用訓練システムにおいて、
前記訓練支援部は、シミュレーションによるプラント状態を継続的に取得して記憶するプラント状態記憶部と、
前記訓練員に聞かせた対話音声をその対話音声を聞かせたときのプラント状態と関連付けて記憶する訓練履歴記憶部と、
前記シミュレーションによるプラント状態や訓練シナリオの事象ステップを検索条件として受け取り、受け取った検索条件と合致する対話音声を訓練履歴記憶部から取り出して再生する対話音声作成支援部とを有することを特徴とするプラント運用訓練システム。
【請求項１１】
請求項２に記載のプラント運用訓練システムにおいて、
前記訓練支援部は、使用の頻度、又は、訓練用シナリオの事象ステップに基づいて、モデル対話記憶部に記憶されているモデル対話の分類表示処理を実行するデータ管理部を有することを特徴とするプラント運用訓練システム。
【請求項１２】
請求項１１に記載のプラント運用訓練システムにおいて、
前記データ管理部にて実行されるモデル対話の分類表示処理は、
前記モデル対話記憶部に記憶されているモデル対話を取得して記憶する第一処理と、
前記第一処理で記憶されたモデル対話に対し、モデル対話分類部で訓練シナリオの事象ステップと連絡先の組み合わせごとに関連付けられたインデックスを付加する第二処理と、
前記訓練シナリオ実行部からシミュレータへと送られた訓練シナリオの事象ステップに関連付けられたモデル対話のインデックスを受け取るとともに、そのインデックスを受け取った頻度をモデル対話使用頻度として算出する第三処理と、
前記第三処理で算出されたモデル対話使用頻度が高いものから優先して、第一処理で記憶されたモデル対話を並び替えてユーザに提示する第四処理とを有することを特徴とするプラント運用訓練システム。
【請求項１３】
請求項４に記載のプラント運用訓練システムにおいて、
前記訓練支援部は、使用の頻度、又は、訓練用シナリオの事象ステップに基づいて、システムデータ記憶部に記憶されているシステムデータの分類表示処理を実行するデータ管理部を有することを特徴とするプラント運用訓練システム。
【請求項１４】
請求項１３に記載のプラント運用訓練システムにおいて、
前記データ管理部にて実行されるシステムデータの分類表示処理は、
前記システムデータ記憶部に記憶されているシステムデータを取得して記憶する第一処理と、
前記第一処理で記憶されたシステムデータに対し、システムデータ分類部で訓練シナリオの事象ステップと連絡先の組み合わせごとに関連付けられたインデックスを付加する第二処理と、
前記訓練シナリオ実行部からシミュレータへと送られた訓練シナリオの事象ステップに関連付けられたシステムデータのインデックスを受け取るとともに、そのインデックスを受け取った頻度をシステムデータ使用頻度として算出する第三処理と、
前記第三処理で算出されたシステムデータ使用頻度が高いものから優先して、第一処理で記憶されたシステムデータを並び替えて提示する第四処理とを有することを特徴とするプラント運用訓練システム。
【請求項１５】
請求項９に記載のプラント運用訓練システムにおいて、
前記訓練支援部は、使用の頻度、又は、訓練用シナリオの事象ステップに基づいて、対話音声記憶部に記憶されている対話音声の分類表示処理を実行するデータ管理部を有することを特徴とするプラント運用訓練システム。
【請求項１６】
請求項１５に記載のプラント運用訓練システムにおいて、
前記データ管理部にて実行される対話音声の分類表示処理は、
前記対話音声記憶部に記憶されている対話音声を取得して記憶する第一処理と、
前記第一処理で記憶された対話音声に対し、対話音声分類部で訓練シナリオの事象ステップと連絡先の組み合わせごとに関連付けられたインデックスを付加する第二処理と、
前記訓練シナリオ実行部からシミュレータへと送られた訓練シナリオの事象ステップに関連付けられた対話音声のインデックスを受け取るとともに、そのインデックスを受け取った頻度を対話音声使用頻度として算出する第三処理と、
前記第三処理で算出された対話音声使用頻度が高いものから優先して、第一処理で記憶された対話音声を並び替えて提示する第四処理とを有することを特徴とするプラント運用訓練システム。
【発明の詳細な説明】
【技術分野】
【０００１】
本発明は、プラントの運用訓練を支援する技術に係り、特に、プラントの状態に応じて正しい連絡先を選択し且つその連絡先と的確な対話を行うコミュニケーション訓練を支援するプラント運用訓練システムに関する。
【背景技術】
【０００２】
今日、原子力発電プラントのように大規模且つ複雑にして高度の安全が強く求められるプラントが広く運用されている。かかるプラントを適切に運用するためには、オペレータ又は将来的にオペレータとなる者を対象とし、プラントの通常運転のみならず各種のプラント異常を想定した総合的な訓練が必要となる。
【０００３】
従来のプラント運用訓練システムは、特許文献１〜３に開示されている。これらのプラント運用訓練システムは、原子力発電プラントの炉心反応度やタービン駆動力となる水蒸気の温度、圧力及び流量などのプロセス量、ポンプやタービンなどのプラント機器の動作など（総じてプラント状態）に関わる模擬計算（シミュレーション）を実行し、実機のプラント状態を仮想的に作り出すシミュレータを備えている。即ち、仮想的なプラント操作を可能とし、訓練の実効が図られている。
【０００４】
併せて、このようなシミュレーションを行うにあたり、プラント機器に想定される事故・事象（トラブル）の時系列的な発生と連鎖を事象ステップとして定めた訓練シナリオが用いられている。この訓練シナリオは、トラブルの事象ステップに従ったプラント状態をシミュレータに模擬計算させるプログラムとして用意される。従って、訓練員はシミュレータによって提供されるトラブル発生時のプラント状態を仮想体験することとなり、これもまた訓練の実効性を高めるものとして期待できる。
【先行技術文献】
【特許文献】
【０００５】
【特許文献１】特開平１−４５６３８号公報
【特許文献２】特開平１−３９５８９号公報
【特許文献３】特開平５−８３９１１号公報
【発明の概要】
【発明が解決しようとする課題】
【０００６】
近年、プラントの運用訓練においては、プラント状態に応じて定められた所定の連絡先（トラブル検証先となるプラント機器の設置随所（現場）やトラブル報告先として割り当てられた外部当局など）を正しく選択し、選択した連絡先と的確な対話（トラブルの検証や報告に関わる応答など）を行うコミュニケーション訓練が広く実施されている。
【０００７】
従来のプラント運用訓練システムは、シミュレーションの実行によってプラント状態に応じた正しい連絡先を選択する訓練を可能にする。しかしながら、選択した連絡先と的確な対話を行うためのコミュニケーション訓練を行う場合、指導員の負担は大きい。
【０００８】
つまり、連絡先はプラント状態に応じて多岐にわたって定められるうえ、１名ないし数名の指導員が複数の連絡先当局を代役するのが通常となっており、指導員には高度の技量習得が要求される。また、１名の指導員が何役も演じることにより、連絡元の個々の訓練員に対して十分な指導が行きわたらず、訓練の質的低下をもたらしかねない。
【０００９】
本発明は上記事情に鑑みてなされたもので、プラント運用訓練の一環となるコミュニケーション訓練の実施に際し、その訓練の質的低下を伴うことなく、むしろ、その訓練の質的向上を図りつつ、指導員の負担を軽減できるプラント運用訓練システムを提供することを目的とする。
【課題を解決するための手段】
【００１０】
上述した目的を達成するため、本発明に係るプラント運用訓練システムでは、プラント状態を仮想的に作り出すシミュレーションを実行して、プラント状態に応じて定められた連絡先を選択するとともにその連絡先と的確な対話を行うコミュニケーション訓練を可能とするプラント運用訓練システムにおいて、その連絡先を代役する指導員が連絡元の訓練員と交わす各種の対話をモデル対話として記憶しておき、コミュニケーション訓練の実施中に、シミュレーションによるプラント状態に応じて適切なモデル対話を特定して指導員に提示する訓練支援部を備えることを特徴とする。
【発明の効果】
【００１１】
本発明によれば、プラント運用訓練の一環となるコミュニケーション訓練の実施に際し、その訓練の質的低下を伴うことなく、むしろ、その訓練の質的向上を図りつつ、指導員の負担を軽減できる。
【図面の簡単な説明】
【００１２】
【図１】本発明に係るプラント運用訓練システムの第１実施形態を示す図。
【図２】本発明に係るプラント運用訓練システムの第２実施形態を示す図。
【図３】本発明に係るプラント運用訓練システムの第３実施形態を示す図。
【図４】本発明に係るプラント運用訓練システムの第４実施形態を示す図。
【図５】本発明に係るプラント運用訓練システムの第５実施形態を示す図。
【図６】本発明に係るプラント運用訓練システムの第６実施形態を示す図。
【図７】本発明に係るプラント運用訓練システムの第７実施形態を示す図。
【図８】本発明に係るプラント運用訓練システムの第８実施形態を示す図。
【図９】本発明に係るプラント運用訓練システムの第９実施形態を示す図。
【図１０】本発明に係るプラント運用訓練システムの第１０実施形態を示す図。
【発明を実施するための形態】
【００１３】
以下、添付図面を参照して、本発明の実施形態を説明する。
【００１４】
（第１実施形態）
本実施形態のプラント運用訓練システム１は、プラント操作の訓練のほか、トラブル発生時にプラント状態に応じて定められた連絡先を選択してその連絡先と的確な対話を行うためのコミュニケーション訓練を支援するシステムである。
【００１５】
プラント運用訓練システム１は、原子力発電プラントの制御室に訓練員が配備され、訓練員の連絡先がトラブル検証先となるプラント機器の設置随所（現場）やトラブル報告先として割り当てられた外部当局（何れも図示省略）とされた場合のコミュニケーション訓練を支援するシステム構成例であり、図１に示すように、インストラクタ・コンソール２、シミュレータ３及び訓練支援部４を備えている。
【００１６】
なお、訓練員が配備されるプラントの制御室５は、図１に示すように、構内放送に用いられる放送機器（スピーカ）５０１、電話機などの通信機器５０２、オペレータの手動によるプラント操作を可能とするスイッチ類が配置される制御盤５０３、プロセス量を表示したりプラント機器のトラブルを報知する計装盤５０４を備えている。
【００１７】
[インストラクタ・コンソール]
インストラクタ・コンソール２は、指導員が駐在して訓練の統括拠点となる。このインストラクタ・コンソール２は、ＬＡＮ（Local Area Network）を介して制御室５の放送機器５０１や通信機器５０２と接続され、指導員がトラブル発生時の連絡先を代役して、プラント構内のみで訓練員のコミュニケーション訓練を行えるように構成されている。
【００１８】
[シミュレータ]
シミュレータ３は、シミュレーション実行部３０１及びシミュレーションデータ格納部３０２を有している。  
シミュレーション実行部３０１は、インストラクタ・コンソール２に駐在する指導員の操作を受け、シミュレーションデータ格納部３０２から必要なデータを取り込み、原子力発電プラントの炉心反応度やタービン駆動力となる水蒸気の温度、圧力及び流量などのプロセス量ならびにプラント機器の出力といったプラント状態のシミュレーションを実行する。そして、シミュレーション実行部３０１は、シミュレーションの結果をシミュレーション実行部３０１に格納する。
【００１９】
シミュレーションデータ格納部３０２に格納されるデータは、プラント機器（プロセス量を計測するセンサ、制御棒やその駆動機構などの制御機構、制御信号の伝送路等）や、プラント機器にトラブルを発生させるシミュレーション条件（マルファンクション）などである。
【００２０】
[訓練支援部]
訓練支援部４は、コミュニケーション訓練時の指導員の負担軽減を図るもので、訓練シナリオ記憶部４０１、連絡先記憶部４０２、モデル対話記憶部４０３、モデル対話分類部４０４、通信データ取得部４０５、訓練シナリオ実行部４０６、及び、モデル対話提示部４０７を有する。
【００２１】
訓練シナリオ記憶部４０１は、「訓練シナリオ」を記憶する。訓練シナリオは、プラント機器に関わるトラブルの時系列的な発生と連鎖を事象ステップとして定めたものであり、この事象ステップに従うプラント状態のシミュレーションをシミュレータ３に実行させるプログラムである。
【００２２】
なお、訓練シナリオは、例えば、制御棒１本が落下して挿入不能となり（事象ステップ１）→中性子束が定格の１２０％まで上昇したところでスクラムが作動し（事象ステップ２）→燃料棒の破損ないし炉心の損傷が発生する（事象ステップ３）とか、原子炉定格運転中に大地震などによって外部電源が喪失し（事象ステップ１）→原子炉が自動停止し（事象ステップ２）→炉心冷却機能が全停止し（事象ステップ３）→炉心が損傷する(事象ステップ４)などのように様々に定義される。実際は、最終的な結果に至らないように、トラブル発生の初期段階でオペレータにより適切なプラント操作が行われるとともに、所定の連絡先にトラブルの報告が為される。
【００２３】
連絡先記憶部４０２は、訓練シナリオごとに且つその事象ステップごとに、訓練員が連絡すべき正しい「連絡先」を複数記憶する。連絡先は、プラントの制御室５に配備される訓練員が連絡すべき現場随所やトラブル報告先であり、予め策定されるものである。
【００２４】
モデル対話記憶部４０３は、制御室５に配備される訓練員とインストラクタ・コンソール２に駐在する指導員（連絡先の代役）との間で交わされるべき正しい「対話」をモデル対話として複数記憶する。１つ１つのモデル対話には、モデル対話を特定するためのインデックスが付加される。
【００２５】
モデル対話分類部４０４は、訓練シナリオ記憶部４０１に記憶された訓練シナリオ、連絡先記憶部４０２に記憶された連絡先、及び、モデル対話記憶部４０３に記憶されたモデル対話を読み込み、訓練シナリオごとに、その事象ステップごとに、更に連絡先ごとに、指導員が訓練員と交わすべき適切な対話の内容を関連付けて記憶する。即ち、モデル対話分類部４０４は、各種の訓練シナリオの事象ステップと連絡先の組み合わせごとに、モデル対話のインデックスを規定どおりに関連付けて記憶する。
【００２６】
通信データ取得部４０５は、訓練中の指導員と訓練員の通信を取得し、訓練員が選択した連絡先を特定するための情報を記憶する。
【００２７】
訓練シナリオ実行部４０６は、シミュレーションデータ格納部３０２に格納されているプラント状態のシミュレーション結果を逐次読み込み、プラント状態の進展に基づいて、シミュレーション実行部３０１に訓練シナリオの次の事象ステップを与えるタイミングを判断する。
【００２８】
また、訓練シナリオ実行部４０６は、モデル対話分類部４０４に記憶されているモデル対話のインデックスの中から、訓練シナリオの現在の事象ステップに関連付けられているモデル対話のインデックスを特定する。訓練シナリオ実行部４０６における現在の事象ステップの判断は、訓練シナリオ記憶部４０１に記憶されている訓練シナリオとシミュレーションデータ格納部３０２のシミュレーション結果（プラント状態）とのマッチングを行うことにより、シミュレーションによるプラント状態が訓練シナリオの何れの事象ステップに相当するかを特定することにより行われる。
【００２９】
モデル対話提示部４０７は、訓練シナリオ実行部４０６から訓練シナリオの現在の事象ステップに関連付けられているモデル対話のインデックスを受け取る。そして、モデル対話提示部４０７は、受け取ったモデル対話のインデックスと同一のインデックスが付加されているモデル対話をモデル対話記憶部４０３から抽出し、指導員が駐在するインストラクタ・コンソール２のモニタ画面等に表示し、指導員にモデル対話を提示する。このとき、モデル対話は、訓練シナリオの事象ステップごとに且つ訓練員が選択した連絡先の情報とともに提示される。なお、連絡先の情報は、通信データ取得部４０５や訓練シナリオ実行部４０６などから取得される。
【００３０】
次に、効果を説明する。
【００３１】
プラント運用訓練システム１では、シミュレータ３によりプラント状態が仮想的に作り出される。このため、プラント状態に応じて定められた既定の連絡先を選択し、その連絡先と的確な対話を行うコミュニケーション訓練が可能となる。
【００３２】
ここで、コミュニケーション訓練においては、連絡先はプラント状態に応じて多岐にわたって定められるうえ、１名又は数名の指導員が複数の連絡先を代役するのが通常となっている。このコミュニケーション訓練に際して従来のプラント運用訓練システムを用いると、指導員に高度の技量習得ならびに身体的負担が要求されるほか、１名の指導員が複数の通報先を演じることとなって連絡元の個々の訓練員に対して十分な指導が行きわたらず、訓練の質的低下をもたらす点が問題となっていた。
【００３３】
これに対し、プラント運用訓練システム１の訓練支援部４は、訓練シナリオ記憶部４０１、連絡先記憶部４０２、モデル対話記憶部４０３、モデル対話分類部４０４、訓練シナリオ実行部４０６、モデル対話提示部４０７を備えている。このため、訓練シナリオの事象ステップに従い刻々変化する多様なプラント状態が作り出されることで多様なコミュニケーション訓練が行えることに加え、各々のコミュニケーション訓練に際し、訓練シナリオの事象ステップ或いはプラント状態に応じて適切なモデル対話が指導員に逐次提示されていく。要するに、プラント運用訓練システム１にあっては、
（１）プラント運用訓練の一環となるコミュニケーション訓練の実施に際し、訓練場面に応じて適切なモデル対話を指導員に提示することができ、訓練の質的向上を図りつつ指導員の負担を軽減できる。
【００３４】
（第２実施形態）
図２は本発明に係るプラント運用訓練システムの第２実施形態を示す図である。
【００３５】
本実施形態は、第１実施形態のプラント運用訓練システム１における訓練支援部４の構成を変更した例である。以下、第１実施形態と同様の構成は同一符号を付して説明を省略し、第１実施形態の構成を変更し或いは新たに追加した構成は符号末尾に「Ａ」を付して説明する。
【００３６】
本実施形態のプラント運用訓練システム１Ａの訓練支援部４Ａは、図１に示すように、音声−文字変換部４０８Ａ、プラント状態記憶部４０９Ａ、訓練履歴記憶部４１０Ａ、及び、モデル対話作成支援部４１１Ａを有する。
【００３７】
音声−文字変換部４０８Ａは、制御室５の訓練員とインストラクタ・コンソール２の指導員との間で交わされた訓練中の対話（音声データ）を文字データに変換する。音声データから文字データへの変換は、公知の技術を用いて行なわれる。音声データは、通信データ取得部４０５が取得する。
【００３８】
プラント状態記憶部４０９Ａは、シミュレーションデータ格納部３０２からシミュレーション結果たるプラント状態を継続的に取得する。なお、プラント状態は、選択された訓練シナリオに基づくシミュレーションの進行のほか、訓練の内容変更（指導員による訓練シナリオの変更）があった場合などに変化する。
【００３９】
訓練履歴記憶部４１０Ａは、音声−文字変換部４０８Ａから訓練中に指導員と訓練員が交わした対話の文字データを受け取る。また、プラント状態記憶部４０９Ａから刻々変化するプラント状態を受け取り、訓練シナリオ実行部４０６から実行済みの訓練シナリオ及びその事象ステップの情報を取得する。そして、訓練履歴記憶部４１０Ａは、指導員と訓練員が交わした対話の文字データとその対話が交わされたときのプラント状態や訓練シナリオの事象ステップとを対応付けて記憶する。更に、この訓練履歴記憶部４１０Ａは、通信データ取得部４０５から、訓練員が選択した連絡先を特定するための情報を記録する。
【００４０】
モデル対話作成支援部４１１Ａは、訓練シナリオの事象ステップやこれに基づくシミュレーションによるプラント状態を検索条件として受け付け、ユーザから検索条件を受け取ったとき、検索条件に合致する対話の文字データを訓練履歴記憶部４１０Ａから抽出して随所のモニタ画面に表示する。即ち、モデル対話作成支援部４１１Ａは、過去の訓練で交わされた対話の文字データのうち、ユーザ所望の条件（プラント状態や訓練シナリオなど）に合致する対話の文字データを抽出し、そのユーザに提示する。
【００４１】
次に、効果を説明する。
【００４２】
プラント運用訓練システム１Ａにあっては、第１実施形態の（１）の効果に加え、次の効果を得ることができる。  
（２）訓練で指導員と訓練員が交わした対話の内容と、その対話が交わされた訓練場面との関係をユーザに提供できる。従って、プラント運用訓練の一環となるコミュニケーション訓練の実施に際し、モデル対話の新規追加や既記憶のモデル対話の修正等の要否判断を容易にすることで訓練の質的向上を図りつつ、指導員の負担を軽減できる。
【００４３】
（第３実施形態）
図３は本発明に係るプラント運用訓練システムの第３実施形態を示す図である。
【００４４】
本実施形態は、第１実施形態のプラント運用訓練システム１における訓練支援部４の構成を変更した例である。なお、第１実施形態と同様の構成は同一符号を付して説明を省略し、第１実施形態の構成を変更し或いは新たに追加した構成は符号末尾に「Ｂ」を付して説明する。
【００４５】
本実施形態のプラント運用訓練システム１Ｂの訓練支援部４Ｂは、図３に示すように、システムデータ記憶部４１２Ｂ、システムデータ分類部４１３Ｂ、訓練シナリオ実行部４０６Ｂ、及び、システム画像提示部４１４Ｂを備えている。
【００４６】
システムデータ記憶部４１２Ｂは、指導員が訓練員に指示を与えるうえで有用な「システムデータ」をインデックスとともに記憶する。システムデータは、インストラクタ・コンソール２や制御室５のモニタにプラントのシステム構成を表示させるプログラムとして用意され、原子炉建屋やタービン建屋に設けられる各種の機器・配管の設計図や配置図のほか、プラントのプロセス量、インターロック・システムや非常用炉心冷却装置（ＥＣＣＳ）といった安全システムの制御ロジックなどを画像にて説示する。なお、システムデータは、指導員と訓練員の意思疎通の円滑化の観点から任意に作成される。
【００４７】
システムデータ分類部４１３Ｂは、訓練シナリオ記憶部４０１に記憶されている訓練シナリオ、連絡先記憶部４０２に記憶されている連絡先、及び、システムデータ記憶部４１２Ｂに記憶されているシステムデータを読み込み、訓練シナリオごとに、その事象ステップごとに、更に連絡先の別ごとに、プラント状態に応じた適切なシステムデータを関連付けて記憶する。即ち、システムデータ分類部４１３Ｂは、訓練シナリオの事象ステップと連絡先の組み合わせごとに、モデル対話のインデックスを関連付けて記憶する。
【００４８】
訓練シナリオ実行部４０６Ｂは、初めに第１実施形態の訓練シナリオ実行部４０６と同様の基本処理を実行する。つまり、訓練シナリオ実行部４０６Ｂは、シミュレーションデータ格納部３０２に格納されているプラント状態のシミュレーション結果を逐次読み込み、プラント状態の進展に基づいて、シミュレーション実行部３０１に訓練シナリオの次の事象ステップを与えるタイミングを判断する。
【００４９】
また、訓練シナリオ実行部４０６Ｂは、基本処理のほか、システムデータ分類部４１３Ｂに記憶されているシステムデータのインデックスの中から、訓練シナリオの現在の事象ステップに関連付けられているシステムデータのインデックスを特定する。訓練シナリオ実行部４０６Ｂにおける現在の事象ステップの判断は、訓練シナリオ記憶部４０１に記憶されている訓練シナリオとシミュレーションデータ格納部３０２のシミュレーション結果（プラント状態）とのマッチングを行うことにより、シミュレーションによるプラント状態が訓練シナリオの何れの事象ステップに相当するかを特定することにより行われる。
【００５０】
システム画像提示部４１４Ｂは、訓練シナリオ実行部４０６Ｂから訓練シナリオの現在の事象ステップに関連付けられているシステムデータのインデックスを受け取る。次いで、システム画像提示部４１４Ｂは、受け取ったモデル対話のインデックスと同一のインデックスが付加されているシステムデータをシステムデータ記憶部４１２Ｂから抽出し、指導員が駐在するインストラクタ・コンソール２のモニタ画面にシステムデータに基づくシステム画像を表示する。システム画像は、訓練シナリオの事象ステップごとに且つ訓練員が選択した連絡先の情報とともに提示される。連絡先の情報は、通信データ取得部４０５や訓練シナリオ実行部４０６Ｂなどから取得する。
【００５１】
次に、効果を説明する。
【００５２】
プラント運用訓練システム１Ｂにあっては、第１実施形態の（１）の効果に加え、次の効果を得ることができる。  
（３）指導員にモデル対話が提示されるとともに（第１実施形態参照）、このモデル対話の内容と密接に関連するシステム画像が提示される。そして、このシステム画像は、訓練シナリオの事象ステップに応じて常に更新されていく。よって、指導員は、訓練中にモデル対話を参照しながら且つその対話と密接に関連するプラントのシステム構成を参照しながら、訓練員と対話を行える。従って、プラント運用訓練の一環となるコミュニケーション訓練の実施に際し、訓練を円滑化させるとともに訓練員に対する指導を充実化させることで、訓練の質的向上を図りつつ指導員の負担を軽減できる。
【００５３】
（第４実施形態）
図４は本発明に係るプラント運用訓練システムの第４実施形態を示す図である。
【００５４】
本実施形態は、第３実施形態のプラント運用訓練システム１Ｂにおける訓練支援部４Ｂの構成を変更した例である。なお、第３実施形態と同様の構成は同一符号を付して説明を省略し、第３実施形態の構成を変更し或いは新たに追加した構成は符号末尾に「Ｃ」を付して説明する。
【００５５】
本実施形態のプラント運用訓練システム１Ｃの訓練支援部４Ｃは、図４に示すように、プラント状態記憶部４０９Ｃ、訓練履歴記憶部４１０Ｃ、及び、システムデータ作成支援部４１５Ｃを備えている。
【００５６】
プラント状態記憶部４０９Ｃは、シミュレーションデータ格納部３０２からシミュレーション結果たるプラント状態を継続的に取得する。なお、プラント状態は、選択された訓練シナリオに基づくシミュレーションの進行のほか、訓練の内容変更（指導員による訓練シナリオの変更）があった場合などに変化するものである。
【００５７】
訓練履歴記憶部４１０Ｃは、システム画像提示部４１４Ｂから、抽出されたシステムデータを受け取り記憶する。また、訓練履歴記憶部４１０Ｃは、プラント状態記憶部４０９Ｃから刻々変化するプラント状態を受け取り、訓練シナリオ実行部４０６Ｂから実行された訓練シナリオ及びその事象ステップの情報を受け取る。そして、訓練履歴記憶部４１０Ｃは、訓練中に指導員に提示されたシステム画像に関わるシステムデータをそのシステム画像が提示されたときのプラント状態や訓練シナリオの事象ステップと対応付けて記憶する。更に、訓練履歴記憶部４１０Ｃは、通信データ取得部４０５から訓練員が選択した連絡先を特定するための情報を記録する。
【００５８】
システムデータ作成支援部４１５Ｃは訓練シナリオの事象ステップやこれに基づくシミュレーションによるプラント状態を検索条件として受け付け、ユーザから検索条件を受け取ったとき、検索条件に合致するシステムデータを訓練履歴記憶部４１０Ｃから抽出してそのシステムデータに基づくシステム画面を随所のモニタ画面に表示する。即ち、システムデータ作成支援部４１５Ｃは、過去の訓練で表示されたシステム画面のうち、ユーザ所望の条件（プラント状態や訓練シナリオなど）と合致するシステム画面を抽出し、そのユーザに提示する。
【００５９】
次に、効果を説明する。
【００６０】
プラント運用訓練システム１Ｃにあっては、第３実施形態の（３）の効果に加え、次の効果を得ることができる。  
（４）訓練中に指導員に提示されたシステム画像と、そのシステム画像が提示された訓練場面との関係をユーザに提供できる。従って、プラント運用訓練の一環となるコミュニケーション訓練の実施に際し、指導員の対話補助となるシステム画像の新規追加やその修正等の要否判断を容易にすることで訓練の質的向上を図りつつ、指導員の負担を軽減できる。
【００６１】
（第５実施形態）
図５は本発明に係るプラント運用訓練システムの第５実施形態を示す図である。
【００６２】
本実施形態は、第１実施形態のプラント運用訓練システム１における訓練支援部４の構成を変更した例である。なお、第１実施形態と同様の構成は同一符号を付して説明を省略し、第１実施形態の構成を変更し或いは新たに追加した構成は符号末尾に「Ｄ」を付して説明する。
【００６３】
本実施形態のプラント運用訓練システム１Ｄの訓練支援部４Ｄは、図５に示すように、通信データ取得部４０５Ｄ、環境音記憶部４１６Ｄ、及び、環境音再生部４１７Ｄを備えている。
【００６４】
通信データ取得部４０５Ｄは、訓練中の通信を記録する。また、この通信データ取得部４０５Ｄは、各々の連絡先を特定するためのインデックス情報を保有し、訓練員が選択した連絡先を識別してその連絡先にインデックスを付加する。
【００６５】
環境音記憶部４１６Ｄは、プラント状態に応じて定められた連絡先のうち、例えば、トラブル検証先となるプラント機器の設置随所の「環境音」を記憶する。環境音は、ポンプやタービンなどの騒音など任意に且つ事前に収集される。また、１つ１つの環境音には、環境音を特定するためのインデックスが付加される。
【００６６】
環境音再生部４１７Ｄは、通信データ取得部４０５Ｄから連絡先のインデックスを検索指標として受け取り、そのインデックスと同一のインデックスが付加されている環境音を環境音記憶部４１６Ｄから抽出し、抽出した環境音を制御室５の放送機器５０１から出力する。
【００６７】
次に、効果を説明する。
【００６８】
プラント運用訓練システム１Ｄあっては、第１実施形態の（１）の効果に加え、次の効果を得ることができる。  
（５）プラント運用訓練の一環となるコミュニケーション訓練の実施に際し、訓練員に連絡先の環境音を聞かせて臨場感を与えることで訓練の質的向上を図りつつ、指導員の負担を軽減できる。
【００６９】
（第６実施形態）
図６は本発明に係るプラント運用訓練システムの第６実施形態を示す図である。
【００７０】
本実施形態は、第２実施形態のプラント運用訓練システム１Ａにおける訓練支援部４Ａの構成を変更した例である。なお、第２実施形態と同様の構成は同一符号を付して説明を省略し、第１実施形態の構成を変更し或いは新たに追加した構成は符号末尾に「Ｅ」を付して説明する。
【００７１】
本実施形態のプラント運用訓練システム１Ｅは、図６に示すように、模範訓練記憶部４１８Ｅ、訓練評価部４１９Ｅ、訓練評価結果記憶部４２０Ｅ、及び、訓練評価結果提示部４２１Ｅを備えている。
【００７２】
模範訓練記憶部４１８Ｅは、訓練履歴記憶部に記憶されている対話の文字データの中からユーザにより指定された「模範訓練」における対話の文字データを選択的に取り出し、この対話の文字データをその対話が行われたときの訓練シナリオの事象ステップと関連付けて記憶する。
【００７３】
ここに、模範訓練は、その時々の訓練シナリオの事象ステップに応じて交わされた指導員と訓練員の対話の内容及び対話のタイミングが良好であるとしてユーザにより事前に選択されるものである。なお、この模範訓練の選択は、訓練履歴記憶部４１０Ａとモデル対話作成支援部４１１Ａの協働による訓練シナリオと対話文字データとの関連付け機能及び提示機能（第２実施形態参照）を用いて行うことができる。
【００７４】
訓練評価部４１９Ｅは、模範訓練記憶部４１８Ｅに記憶されている模範訓練としての対話の文字データと訓練履歴記憶部４１０Ａに記憶されている対話の文字データとの一致の程度、両対話のタイミング（対話が交わされたときの訓練シナリオや事象ステップなど）、及び、連絡先の総合的な一致度を特定する。そして、訓練評価部４１９Ｅは、対話の文字データ、対話のタイミング及び連絡先の一致の程度に基づいて、訓練履歴記憶部４１０Ａに記憶されている対話に良否の判断指標（例えば、良いものにつき「○」又は「Ａ」、悪いものにつき「×」又は「Ｂ」）を付加し、この良否の判断指標を付加した対話を「評価済み対話」として訓練評価結果記憶部４２０Ｅに送る。
【００７５】
訓練評価結果記憶部４２０Ｅは、訓練評価部４１９Ｅからユーザ指定の「評価済み対話」を受け取り、受け取った評価済み対話にその評価済み対話を特定するためのインデックスを付加して記憶する。インデックスは、訓練員の個人名、訓練員の所属グループ名、訓練シナリオやその事象ステップなど、対話が交わされた時点の訓練の内容に応じて用意される。訓練評価結果記憶部４２０Ｅは、評価済み対話に含まれる訓練員の個人名、訓練員の所属グループ名、訓練シナリオやその事象ステップなどのインデックス対応付け情報を参照して、評価済み対話にインデックスを付加する。なお、インデックス対応付け情報は、模範訓練記憶部４１８Ｅなどによって評価済み対話に関連付けられる。
【００７６】
訓練評価結果提示部４２１Ｅは、インデックスを検索指標として受け付け、受け取ったインデックスと同一のインデックスが付加されている評価済み対話を訓練評価結果記憶部４２０から抽出する。そして、訓練評価結果提示部４２１Ｅは、抽出した評価済み対話及びその評価済み対話の良否を判断可能な情報をインストラクタ・コンソール２のモニタ画面などに出力する。
【００７７】
次に、効果を説明する。
【００７８】
プラント運用訓練システム１Ｅあっては、第２実施形態の（２）の効果に加え、次の効果を得ることができる。  
（６）プラント運用訓練の一環となるコミュニケーション訓練の実施に際し、過去に実施された訓練の良否評価が自動的に行われ且つその評価結果を適時参照できるようにして訓練の質的向上を図りつつ、指導員の負担を軽減できる。
【００７９】
（第７実施形態）
図７は本発明に係るプラント運用訓練システムの第７実施形態を示す図である。
【００８０】
本実施形態は、第１実施形態のプラント運用訓練システム１における訓練支援部４の構成を変更した例である。なお、第２実施形態と同様の構成は同一符号を付して説明を省略し、第２実施形態の構成を変更し或いは新たに追加した構成は符号末尾に「Ｆ」を付して説明する。
【００８１】
本実施形態のプラント運用訓練システム１Ｆは、図７に示すように、対話音声記憶部４２２Ｆ、対話音声分類部４２３Ｆ、訓練シナリオ実行部４０６Ｆ、対話音声再生部４２４Ｆ、プラント状態記憶部４０９Ｆ、訓練履歴記憶部４１０Ｆ、及び、対話音声作成支援部４２５Ｆを備える。
【００８２】
対話音声記憶部４２２Ｆは、インストラクタ・コンソール２に駐在する指導員とプラントの制御室５に配備される訓練員との間で交わされるべき正しいモデル対話の音声、即ち、本来は指導員が自ら訓練員と話すべき対話内容を自動再生するための「対話音声（対話音声を再生するデータ）」として記録する。１つ１つの対話音声には、対話音声を特定するためのインデックスが付加される
対話音声分類部４２３Ｆは、訓練シナリオ記憶部４０１に記憶されている訓練シナリオ、連絡先記憶部４０２に記憶されている連絡先、及び、対話音声記憶部４２２Ｆに記憶されている対話音声を読み込み、訓練シナリオごとに、その事象ステップごとに、更に連絡先の別ごとに、訓練員に聞かせる適切な対話音声を対応付ける。即ち、対話音声分類部４２３Ｆは、訓練シナリオの事象ステップと連絡先の組み合わせごとに、対話音声のインデックスを関連付けて記憶する。
【００８３】
訓練シナリオ実行部４０６Ｆは、初めに第１実施形態と同様に基本処理を実行する。つまり、訓練シナリオ実行部４０６Ｆは、シミュレーションデータ格納部３０２に格納されているプラント状態のシミュレーション結果を逐次読み込み、プラント状態の進展に基づいて、シミュレーション実行部３０１に訓練シナリオの次の事象ステップを与えるタイミングを判断する。
【００８４】
また、訓練シナリオ実行部４０６Ｆは、基本処理のほか、対話音声分類部４２３Ｆに記憶されている対話音声のインデックスの中から、訓練シナリオの現在の事象ステップに関連付けられている対話音声のインデックスを特定する。訓練シナリオ実行部４０６Ｆにおける現在の事象ステップの判断は、訓練シナリオ記憶部４０１に記憶されている訓練シナリオとシミュレーションデータ格納部３０２のシミュレーション結果（プラント状態）とのマッチングを行うことにより、シミュレーションによるプラント状態が訓練シナリオの何れの事象ステップに相当するかを特定することにより行われる。
【００８５】
対話音声再生部４２４Ｆは、訓練シナリオ実行部４０６Ｆから訓練シナリオの現在の事象ステップに関連付けられている対話音声のインデックスを受け取る。そして、対話音声再生部４２４Ｆは、受け取った対話音声のインデックスと同一のインデックスが付加されている対話音声を対話音声記憶部４２２Ｆから抽出し、訓練員が配備される制御室５などに設けられる放送機器５０１や通信機器５０２を介して対話音声を放送する。対話音声は、訓練シナリオの事象ステップごとに且つ訓練員が選択した連絡先ごとに放送される。なお、連絡先の情報は、通信データ取得部４０５や訓練シナリオ実行部４０６Ｆが取得する。
【００８６】
プラント状態記憶部４０９Ｆは、シミュレーションデータ格納部３０２からシミュレーション結果たるプラント状態を継続的に取得する。なお、プラント状態は、選択された訓練シナリオに基づくシミュレーションの進行のほか、訓練の内容変更（指導員による訓練シナリオの変更）があった場合などに変化するものである。
【００８７】
訓練履歴記憶部４１０Ｆは、対話音声再生部４２４Ｆで抽出された対話音声を受け取る。また、プラント状態記憶部４０９Ｆから刻々変化するプラント状態を受け取り、訓練シナリオ実行部４０６Ｆから実行後の訓練シナリオ及びその事象ステップの情報を取得する。そして、訓練履歴記憶部４１０Ｆは、取得した対話音声と、その対話音声が放送されたときのプラント状態や訓練シナリオの事象ステップとを対応付けて記憶する。更に、訓練履歴記憶部４１０Ｆは、通信データ取得部４０５から訓練員が選択した連絡先を特定するための情報を取得し記憶する。
【００８８】
対話音声作成支援部４２５Ｆは、訓練シナリオの事象ステップやこれに基づくシミュレーションによるプラント状態を検索条件として受け付け、ユーザから検索条件を受け取ったとき、検索条件に合致する対話音声を訓練履歴記憶部４１０Ｆから抽出して随所の音声再生機器から出力する。即ち、対話作成支援部４２５Ｆは、過去の訓練にて放送された対話音声の中から、ユーザ所望の条件（プラント状態や訓練シナリオなど）に合致する対話音声抽出して、そのユーザに聞かせる。
【００８９】
次に、効果を説明する。
【００９０】
プラント運用訓練システム１Ｆあっては、第１実施形態の（１）の効果に加え、次の効果を得ることができる。  
（７）プラント運用訓練の一環となるコミュニケーション訓練の実施に際し、本来は指導員が自ら訓練員と交わすべき対話を訓練場面ごとに適切に自動放送させることで、訓練の質的向上を図りつつ指導員の負担を軽減できる。
【００９１】
（８）また、訓練時に用いられた対話音声を訓練後に確認可能とすることで対話音声の新規記憶や既記憶の対話音声の修正の要否判断を容易なものとし、訓練の質的向上を図ることができる。
【００９２】
（第８実施形態）
図８は本発明に係るプラント運用訓練システムの第８実施形態を示す図である。
【００９３】
本実施形態は、第１実施形態のプラント運用訓練システム１における訓練支援部４の構成を変更した例である。なお、第１実施形態と同様の構成は同一符号を付して説明を省略し、第１実施形態の構成を変更し或いは新たに追加した構成は符号末尾に「Ｇ」を付して説明する。
【００９４】
本実施形態のプラント運用訓練システム１Ｇは、図８に示すように、データ管理部４２６Ｇを備える。
【００９５】
データ管理部４２６Ｇは、次の第一処理〜第四処理に基づいて、モデル対話の分類表示処理を実行する。
【００９６】
（第一処理）
データ管理部４２６Ｇは、モデル対話記憶部４０３から記憶されているモデル対話を取得して記憶する。
【００９７】
（第二処理）
データ管理部４２６Ｇは、モデル対話分類部４０４Ｇで訓練シナリオの事象ステップと連絡先の組み合わせごとに関連付けられたインデックスを援用し、このインデックスを第一処理で記憶したモデル対話に付加して記憶する。
【００９８】
（第三処理）
データ管理部４２６Ｇは、訓練シナリオ実行部４０６からシミュレータ３へと送られた訓練シナリオの事象ステップに関連付けられたモデル対話のインデックスを受け取るとともに、そのインデックスを受け取った頻度を「モデル対話使用頻度」として算出する。モデル対話使用頻度の算出は、訓練シナリオ実行部４０６から受け取ったインデックス（インストラクタ・コンソール２のモニタに表示されることとなるモデル対話のインデックス）を収集して累計することにより行われる。
【００９９】
（第四処理）
データ管理部４２６Ｇは、第三処理で算出したモデル対話使用頻度が高いものから優先して、第一処理で記憶されたモデル対話を並び替える。また、ユーザの要求を受けて、並び替えたモデル対話をモニタ画面に表示するなどしてユーザに提示する。
【０１００】
次に、効果を説明する。
【０１０１】
プラント運用訓練システム１Ｇにあっては、第１実施形態の（１）の効果に加え、次の効果を得ることができる。  
（９）プラント運用訓練の一環となるコミュニケーション訓練の実施に際し、過去の訓練で使用されたモデル対話の中から使用頻度が高いものだけを選択して使用することを容易にすることで、訓練の質的低下を伴うことなく指導員の負担を軽減できる。
【０１０２】
（第９実施形態）
図９は本発明に係るプラント運用訓練システムの第９実施形態を示す図である。
【０１０３】
本実施形態は、第３実施形態のプラント運用訓練システム１Ｂにおける訓練支援部４Ｂの構成を変更した例である。なお、第３実施形態と同様の構成は同一符号を付して説明を省略し、第３実施形態の構成を変更し或いは新たに追加した構成は符号末尾に「Ｈ」を付して説明する。
【０１０４】
本実施形態のプラント運用訓練システム１Ｈは、図９に示すように、データ管理部４２６Ｈを備える。
【０１０５】
データ管理部４２６Ｈは、次の第一処理〜第四処理に基づくシステムデータの分類表示処理を実行する。
【０１０６】
（第一処理）
データ管理部４２６Ｈは、システムデータ記憶部４１２Ｂから記憶済みのシステムデータを取得する。
【０１０７】
（第二処理）
データ管理部４２６Ｈは、システムデータ分類部４１３Ｈで訓練シナリオの事象ステップと連絡先の組み合わせごとに関連付けられたインデックスを援用し、このインデックスを第一処理で記憶したシステムデータに付加して記憶する。
【０１０８】
（第三処理）
データ管理部４２６Ｈは、訓練シナリオ実行部４０６Ｂからシミュレータ３へと送られた訓練シナリオの事象ステップに関連付けられたシステムデータのインデックスを受け取るとともに、そのインデックスを受け取った頻度を「システムデータ使用頻度」として算出する。システムデータ使用頻度の算出は、訓練シナリオ実行部４０６Ｂから受け取ったインデックス（インストラクタ・コンソール２のモニタに表示されることとなるシステムデータのインデックス）を収集して累計することにより行われる。
【０１０９】
（第四処理）
データ管理部４２６Ｈは、第三処理で算出したシステムデータ使用頻度が高いものから優先して、第一処理で記憶されたシステムデータを並び替える。また、ユーザの要求を受けて、並び替えたシステムデータをモニタ画面に表示するなどしてユーザに提示する。
【０１１０】
次に、効果を説明する。
【０１１１】
プラント運用訓練システム１Ｈあっては、第３実施形態の（３）の効果に加え、次の効果を得ることができる。  
（１０）プラント運用訓練の一環となるコミュニケーション訓練の実施に際し、過去の訓練で使用されたシステム画面の中から使用頻度が高いものだけを選択して使用することを容易にすることで、訓練の質的低下を伴うことなく指導員の負担を軽減できる。
【０１１２】
（第１０実施形態）
図１０は本発明に係るプラント運用訓練システムの第１０実施形態を示す図である。
【０１１３】
本実施形態は、第７実施形態のプラント運用訓練システム１Ｆにおける訓練支援部４Ｆの構成を変更した例である。なお、第７実施形態と同様の構成は同一符号を付して説明を省略し、第７実施形態の構成を変更し或いは新たに追加した構成は符号末尾に「Ｉ」を付して説明する。
【０１１４】
本実施形態のプラント運用訓練システム１Ｉは、図１０に示すように、データ管理部４２６Ｉを備える。
【０１１５】
データ管理部４２６Ｉは、次の第一処理〜第四処理に基づく対話音声の分類表示処理を実行する。
【０１１６】
（第一処理）
データ管理部４２６Ｉは、対話音声記憶部４２２Ｆから記憶されている対話音声を取得する。
【０１１７】
（第二処理）
データ管理部４２６Ｉは、対話音声分類部４２３Ｉで訓練シナリオの事象ステップと連絡先の組み合わせごとに関連付けられたインデックスを援用し、このインデックスを第一処理で記憶した対話音声に付加して記憶する。
【０１１８】
（第三処理）
データ管理部４２６Ｉは、訓練シナリオ実行部４０６Ｆからシミュレータ３へと送られた訓練シナリオの事象ステップに関連付けられた対話音声のインデックスを受け取るとともに、そのインデックスを受け取った頻度を「対話音声使用頻度」として算出する。対話音声使用頻度の算出は、訓練シナリオ実行部４０６Ｆから訓練シナリオの事象ステップごとに対応付けられた対話のインデックス（インストラクタ・コンソール２のモニタに表示されることとなる対話音声のインデックス）を収集して累計することにより行われる。
【０１１９】
（第四処理）
データ管理部４２６Ｉは、第三処理で算出した対話音声使用頻度が高いものから優先して、第一処理で記憶された対話音声を並び替える。また、ユーザの要求を受けて、並び替えた対話音声をモニタ画面に文章化表示するなどしてユーザに提示する。
【０１２０】
次に、効果を説明する。
【０１２１】
プラント運用訓練システム１Ｉあっては、第７実施形態の（７）及び（８）の効果に加え、次の効果を得ることができる。  
（１１）プラント運用訓練の一環となるコミュニケーション訓練の実施に際し、過去の訓練で使用された対話音声の中から使用頻度が高いものだけを選択して使用することを容易にすることで、訓練の質的低下を伴うことなく、指導員の負担を軽減できる。
【０１２２】
以上、本発明に係るプラント運用訓練システムを第１実施形態〜第１０実施形態に基づき説明してきたが、具体的な構成については、これらの実施形態に限られるものではなく、特許請求の範囲に記載の発明の要旨を逸脱しない限り設計の変更や追加等は許容される。
【０１２３】
例えば、プラント運用訓練システムの各実施形態は、原子力発電プラントに適用される例を示したが、火力発電プラントや化学プラントその他の通信設備を備えたプラントであれば如何なるプラントであっても適用でき、各実施形態の効果を得ることができる。
【０１２４】
また、第２実施形態では、モデル対話作成支援部４１１Ａによって過去に使用されたモデル対話を画面表示させることでモデル作成を支援する例を示したが、このモデル作成の支援を自動化させてもよい。例えば、訓練履歴記憶部４１０Ａに記憶されている対話の文字データを読み込み、事前に策定されたキーワード（プラント状態に関連するキーワード、プラント制御に関連するキーワードなど）が含まれているか否かによって有用な対話を選択する。そして、選択した対話がモデル対話記憶部４０３にモデル対話として記憶されているか否かを判断し、記憶されていないものであれば選択した対話を一応のモデル対話としてモデル対話記憶部４０３に新規に記憶し或いは修正する。
【０１２５】
また、第３実施形態では、モデル対話とともにシステム画面を表示する例を示したが、モデル対話は表示させずシステム画面のみを表示させるものでもよいし、モデル対話やシステム画面等とともに指導員を補助する他の様々な付帯情報を表示させるようにしてもよい。
【符号の説明】
【０１２６】
１（１Ａ〜１Ｉ）……プラント運用訓練システム，  ２……インストラクタ・コンソール，  ３……シミュレータ，  ３０１……シミュレーション実行部，  ３０２……シミュレーションデータ格納部，  ４（４Ａ〜４Ｉ）……訓練支援部，  ４０１……訓練シナリオ記憶部，  ４０２……連絡先記憶部，  ４０３……モデル対話記憶部，  ４０４……モデル対話分類部，  ４０５（４０５Ｄ）……通信データ取得部，  ４０６（４０６Ｂ、４０６Ｆ）……訓練シナリオ実行部，  ４０７……モデル対話提示部，  ４０８Ａ……音声−文字変換部，  ４０９Ａ（４０９Ｃ、４０９Ｆ）……プラント状態記憶部，  ４１０Ａ（４１０Ｃ、４１０Ｆ）……訓練履歴記憶部，  ４１１Ａ……モデル対話作成支援部，  ４１２Ｂ……システムデータ記憶部，  ４１３Ｂ……システムデータ分類部，  ４１４Ｂ……システム画像提示部，  ４１５Ｃ……システムデータ作成支援部，  ４１６Ｄ……環境音記憶部，  ４１７Ｄ……環境音再生部，  ４１８Ｅ……模範訓練記憶部，  ４１９Ｅ……訓練評価部，  ４２０Ｅ……訓練評価結果記憶部，  ４２１Ｅ……訓練評価結果提示部，  ４２２Ｆ……対話音声記憶部，  ４２３Ｆ……対話音声分類部，  ４２４Ｆ……対話音声再生部，  ４２５Ｆ……対話音声作成支援部，  ４２６Ｇ（４２６Ｈ、４２６Ｉ）……データ管理部，  ５……制御室，  ５０１……放送機器，  ５０２……通信機器，  ５０３……制御盤，  ５０４……計装盤．
【図１】
2011081108.tif 000003
【図２】
2011081108.tif 000004
【図３】
2011081108.tif 000005
【図４】
2011081108.tif 000006
【図５】
2011081108.tif 000007
【図６】
2011081108.tif 000008
【図７】
2011081108.tif 000009
【図８】
2011081108.tif 000010
【図９】
2011081108.tif 000011
【図１０】
2011081108.tif 000012